(57)【要約】【課題】プリンタにて情報を印字する場合でも不用意な剥離を生じさせることなく、表示された情報の漏洩を回避する。【解決手段】伝票片１０に分離可能に区画形成された貼付票１２にＵ字状のスリット１３を複数並んで形成するとともに、伝票片１０に剥離可能に貼着された剥離台紙２０のスリット１３に対向する領域に分離部２２を分離可能に区画形成する。【選択図】図１
2019012194.tif 000002
【特許請求の範囲】
【請求項１】
情報が表示される情報表示部を有するとともに、前記情報が表示される面とは反対側の面に貼着層が積層された第１のシートと、
前記貼着層を介して前記第１のシートと剥離可能に貼着され、前記情報表示部に対向する領域内に第１の分離線によって分離部が分離可能に区画形成された第２のシートとを有し、
前記第１のシートおよび前記貼着層は、前記分離部に対向する領域内に、前記第１のシートおよび前記貼着層を貫通し、互いに同一方向を向いた複数の略Ｕ字状の第２の分離線が形成されている、情報保護シート。
【請求項２】
請求項１に記載の情報保護シートにおいて、
前記複数の第２の分離線は、それぞれが細長の略Ｕ字状であって、長手方向に直交する方向に並んでいる、情報保護シート。
【請求項３】
請求項１または請求項２に記載の情報保護シートにおいて、
前記情報表示部は、切り離し線によって前記第１のシートから切り離し可能に区画形成されている、情報保護シート。
【請求項４】
請求項３に記載の情報保護シートにおいて、
前記第２のシートは、前記切り離し線に対向する領域を取り囲むように第３の分離線が形成されている、情報保護シート。
【発明の詳細な説明】
【技術分野】
【０００１】
本発明は、情報が表示されるシートに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに表示されて用いられる場合があるが、その場合、配送物から剥離した配送ラベルの廃棄とともに個人情報が漏洩する可能性が生じてしまう。
【０００３】
ここで、個人情報が表示される情報表示シートと、接着層を介して情報表示シートに剥離可能に接着された基材シートとからなる個人情報保護シートであって、基材シートには、その周縁部と内側領域とを切り離すための切れ目が予め設けられており、情報表示シートには、基材シートの内側領域と重なる領域に、閉じたループ状の接着層も貫通する切れ目が予め設けられた個人情報保護シートが、例えば、特許文献１に開示されている。
【０００４】
特許文献１に開示された技術によれば、情報表示シートに個人情報が表示されている個人情報保護シートを廃棄する際に、基材シート側から、基材シートの切れ目によって基材シートの内側領域とその周縁部を分離しつつ、基材シートの内側領域を情報表示シートから剥離すると、情報表示シートに設けられたループ状の切れ目の内側領域が、基材シートとともに情報表示シートから分離する一方、ループ状の切れ目の外側領域が情報表示シートに残存し、それにより、情報表示シートに記載された個人情報を分断し、個人情報の漏洩を回避することができる。
【先行技術文献】
【特許文献】
【０００５】
【特許文献１】特許第４２１０１７８号公報
【発明の概要】
【発明が解決しようとする課題】
【０００６】
ところで、近年、上述したような配送ラベルに対する情報表示シートへの情報の表示は、プリンタにおける印字によって行われる場合が多い。特に、一般消費者ではなく企業等から発送する配送物に貼着される配送ラベル等においては、配送情報が事前に印字されたものが用いられている。その場合、シートがプリンタ内を湾曲して搬送されることになるため、上述した個人情報保護シートのように、情報が表示される情報表示シートにループ状の切れ目が設けられている場合、シートがプリンタ内を搬送される際に、ループ状の切れ目の内側領域が搬送方向先端部から捲れ上がり、基材シートから剥離して情報表示シートが使用できなくなってしまう虞がある。
【０００７】
本発明は、上述したような従来の技術が有する問題点に鑑みてなされたものであって、プリンタにて情報を印字する場合でも不用意な剥離を生じさせることなく、表示された情報の漏洩を回避することができる情報保護シートを提供することを目的とする。
【課題を解決するための手段】
【０００８】
上記目的を達成するために本発明は、
情報が表示される情報表示部を有するとともに、前記情報が表示される面とは反対側の面に貼着層が積層された第１のシートと、
前記貼着層を介して前記第１のシートと剥離可能に貼着され、前記情報表示部に対向する領域内に第１の分離線によって分離部が分離可能に区画形成された第２のシートとを有し、
前記第１のシートおよび前記貼着層は、前記分離部に対向する領域内に、前記第１のシートおよび前記貼着層を貫通し、互いに同一方向を向いた複数の略Ｕ字状の第２の分離線が形成されている。
【０００９】
上記のように構成された本発明においては、情報表示部に貼着されている分離部を、第２の分離線の略Ｕ字状の閉じた端部側を剥離開始端として情報表示部から剥離すると、略Ｕ字状の外側の領域が分離部から剥離していく一方、略Ｕ字状の内側の領域が分離部に貼着されたままとなって、情報表示部が略Ｕ字状の外側の領域と内側の領域とに分離していく。そして、情報表示部の分離部分が略Ｕ字状の開いた端部に達した後は、略Ｕ字状の延長線に沿って情報表示部が分離していく。このように、情報表示部が第２の分離線の略Ｕ字状の外側の領域と内側の領域とに分離した後は、情報表示部には、略Ｕ字状の内側の領域が存在しない状態となっており、それにより、情報表示部に表示された情報が認識困難なものとなり、情報の漏洩が回避されることとなる。ここで、情報表示部を２つの領域に分離するための第２の分離線は、略Ｕ字状のものであるため、情報表示部にプリンタにて情報を印字する際、第２の分離線の略Ｕ字状の開いた端部側を先端としてプリンタ内を搬送して印字すれば、プリンタ内にて略Ｕ字状の内側の領域が捲れ上がって不用意な剥離を生じさせることがなくなる。
【００１０】
また、複数の第２の分離線が、それぞれが細長の略Ｕ字状であって、長手方向に直交する方向に並んでいれば、情報表示部を細かく分離することができ、第１のシートに表示された情報がさらに認識困難となる。
【００１１】
また、情報表示部が、切り離し線によって第１のシートから切り離し可能に区画形成されていれば、情報保護シートを配送ラベルとして用いることができる。その場合、第２のシートの分離部以外の領域が第１のシートから剥離され、表出した貼着層によって配送物等の被着体に貼着されて使用された後、情報表示部を廃棄する際、まず、情報表示部を切り離し線を介して第１のシートから切り離して被着体から剥離した後、上記同様に情報表示部から分離部を剥離することで、情報表示部に表示された情報の漏洩が回避されることになる。
【００１２】
また、第２のシートに、切り離し線に対向する領域を取り囲むように第３の分離線が形成されていれば、情報保護シートが被着体に貼着された状態においては、第２のシートのうち第３の分離線の内側の領域が第１のシートに貼着されていることで、情報表示部は被着体に貼着されておらず、それにより、情報表示部を切り離し線を介して第１のシートから切り離して被着体から容易に分離することができる。
【発明の効果】
【００１３】
本発明によれば、情報が表示された情報表示部を２つの領域に分離するための第２の分離線が略Ｕ字状のものであることにより、情報表示部にプリンタにて情報を印字する際、第２の分離線の略Ｕ字状の開いた端部側を先端としてプリンタ内を搬送して印字すれば、プリンタ内にて略Ｕ字状の内側の領域が捲れ上がって不用意な剥離を生じさせることなく、表示された情報の漏洩を回避することができる。
【００１４】
また、複数の第２の分離線が、それぞれが細長の略Ｕ字状であって、長手方向に直交する方向に並んでいるものにおいては、情報表示部を細かく分離することができ、第１のシートに表示された情報をさらに認識困難とすることができる。
【００１５】
また、情報表示部が、切り離し線によって第１のシートから切り離し可能に区画形成されていれば、情報保護シートを配送ラベルとして用いることができ、情報表示部を廃棄する際、情報表示部に表示された情報の漏洩を回避することができる。
【００１６】
また、第２のシートに、切り離し線に対向する領域を取り囲むように第３の分離線が形成されているものにおいては、情報保護シートが被着体に貼着された状態においては、第２のシートのうち第３の分離線の内側の領域が第１のシートに貼着されていることで、情報表示部は被着体に貼着されていないものとなり、それにより、情報表示部を切り離し線を介して第１のシートから切り離して被着体から容易に分離することができる。
【図面の簡単な説明】
【００１７】
【図１】本発明の情報保護シートの第１の実施の形態を示す図であり、（ａ）は表面図、（ｂ）は（ａ）に示したＡ−Ａ’断面図、（ｃ）は裏面図である。
【図２】図１に示した配送ラベルに対して配送情報表示領域に配送情報を印字する際の作用を説明するための図である。
【図３】図１に示した配送ラベルが配送物に貼着されるまでの使用方法を説明するための図である。
【図４】配送物の配送先に配送された後の配送ラベルの使用方法を説明するための図である。
【図５】配送物の配送先に配送された後の配送ラベルの使用方法を説明するための図である。
【図６】配送物から分離した貼付票を廃棄する際の使用方法を説明するための図である。
【図７】本発明の情報保護シートの第２の実施の形態を示す図であり、（ａ）は表面図、（ｂ）は（ａ）に示したＡ−Ａ’断面図、（ｃ）は裏面図である。
【図８】図７に示した配送ラベルが配送物に貼着されるまでの使用方法を説明するための図である。
【図９】本発明の情報保護シートの第３の実施の形態を示す図であり、（ａ）は表面図、（ｂ）は（ａ）に示したＡ−Ａ’断面図である。
【図１０】図９に示した配送ラベルの貼着構造を示す図であり、（ａ）は貼付シートの剥離台紙との貼着面の構成を示す図、（ｂ）は剥離台紙の貼付シートとの貼着面の構成を示す図である。
【図１１】図９および図１０に示した配送ラベルの使用方法を説明するための図である。
【図１２】図９および図１０に示した配送ラベルの使用方法を説明するための図である。
【図１３】図９および図１０に示した配送ラベルの使用方法を説明するための図である。
【図１４】図９および図１０に示した配送ラベルの使用方法を説明するための図である。
【図１５】図９および図１０に示した配送ラベルの使用方法を説明するための図である。
【図１６】配送物から分離した貼付票を廃棄する際の使用方法を説明するための図である。
【発明を実施するための形態】
【００１８】
以下に、本発明の実施の形態について図面を参照して説明する。
【００１９】
（第１の実施の形態）
図１は、本発明の情報保護シートの第１の実施の形態を示す図であり、（ａ）は表面図、（ｂ）は（ａ）に示したＡ−Ａ’断面図、（ｃ）は裏面図である。
【００２０】
本形態は図１に示すように、伝票片１０と剥離台紙２０とが、貼着層３０および剥離層４０を介して剥離可能に貼着された配送ラベル１である。
【００２１】
伝票片１０は、本願発明の第１のシートとなるものである。伝票片１０には、切り離し線となるジッパー１４が形成されており、このジッパー１４によって配達票１１および貼付票１２とが分離可能に区画形成されている。
【００２２】
配達票１１には、この配送ラベル１が貼着されて配送される配送物の配送先の住所や氏名等の宛先情報が印字される配送情報表示領域１１ａと、配送物の配送先にて受領印が押下される押印領域１１ｂとが設けられている。また、配送票１１には、その角部に三角形の形状に切り欠かれた切り欠き１５が形成されている。
【００２３】
貼付票１２は、本願発明における情報表示部となるものである。貼付票１２には、この配送ラベル１が貼着されて配送される配送物の配送先の住所や氏名等の宛先情報が印字される配送情報表示領域１２ａが設けられている。また、貼付票１２には、第２の分離線となる細長のＵ字状のスリット１３が複数形成されている。この複数のスリット１３は、互いに同一方向を向いて、Ｕ字状の長手方向に直交する方向に並んで形成されているが、Ｕ字状の開いた端部が配達票１１側となるように、配達票１１と貼付票１２との並び方向に対して斜めを向いている。
【００２４】
伝票片１０は、配送情報表示領域１１ａ，１２ａおよび押印領域１１ｂが設けられた面とは反対側の面、すなわち、剥離台紙２０との貼着面のうち配達票１１を除いた領域の全面に、粘着剤や接着剤が塗布されることで貼着層３０が積層されている。貼付票１２に形成されたスリット１３は、伝票片１０および貼着層３０を貫通している。
【００２５】
剥離台紙２０は、本願発明の第２のシートとなるものである。剥離台紙２０には、貼付票１２に対向する領域内に、貼付票１２の外周に沿って第１の分離線となるスリット２１が形成されており、それにより、スリット２１の内側が分離部２２となって剥離台紙２０から分離可能に区画形成されている。剥離台紙２０の伝票片１０との貼着面には、貼着層３０に対向する領域に、剥離ニス等が塗布されることで剥離層４０が積層されている。剥離台紙２０の伝票片１０との貼着面とは反対側の面には、分離部２２の１つの角部に分離部２２を貼付票１２から剥離する際の剥離方向を指示する剥離方向指示情報２２ａが表示されている。
【００２６】
伝票片１０に形成されたＵ字状のスリット１３は、分離部２２に対向する領域内に形成されている。
【００２７】
以下に、上記のように構成された配送ラベル１の作用効果について説明する。
【００２８】
まず、配送情報表示領域１１ａ，１２ａに配送情報を印字する際の作用について説明する。
【００２９】
図２は、図１に示した配送ラベル１に対して配送情報表示領域１１ａ，１２ａに配送情報を印字する際の作用を説明するための図である。
【００３０】
図１に示した配送ラベル１に対して配送情報表示領域１１ａ，１２ａに配送情報を印字する場合は、図２（ａ）に示すように、配達票１１側が先端となるように配送ラベル１をプリンタにセットし、配送情報表示領域１１ａ，１２ａに配送情報を印字していく。
【００３１】
その際、図２（ｂ）に示すように、配送ラベル１は、プリンタ内のローラ２によって搬送されることで、伝票片１０が外側となるように湾曲しながら搬送されることになる。ここで、図１に示した配送ラベル１においては、貼付票１２に、伝票片１０および貼着層３０を貫通したスリット１３が形成されているため、伝票片１０が外側となるように湾曲しながら搬送された場合、スリット１３が形成された部分が捲れてしまう虞がある。しかしながら、スリット１３は、Ｕ字状の開いた端部が配達票１１側となるような向きとなっているため、配達票１１側が先端となって配送ラベル１が搬送されていくと、Ｕ字状の開いた端部側が搬送方向先端側となることで、スリット１３が形成された部分が捲れてしまうことがなくなり、貼付票１２が不用意に剥離してしまうことが回避される。
【００３２】
次に、配送情報表示領域１１ａ，１２ａに配送情報が印字された配送ラベルの使用方法およびその際の作用について説明する。
【００３３】
図３は、図１に示した配送ラベル１が配送物に貼着されるまでの使用方法を説明するための図である。
【００３４】
図１に示した配送ラベル１を配送物に貼着する場合は、まず、伝票片１０から剥離シート２０を剥離する。伝票片１０と剥離シート２０とは貼着層３０および剥離層４０を介して剥離可能に貼着されているため、互いに剥離することができる。伝票片１０から剥離シート２０を剥離すると、図３（ａ）に示すように、伝票片１０の剥離シート２０との貼着面に積層された貼着層３０が表出する。その際、分離部２２をスリット２１を介して剥離シート２０から分離して、伝票片１０に貼着されたままの状態とする。
【００３５】
そして、図３（ｂ）に示すように、表出した貼着層３０によって伝票片１０を配送物３に貼着する。伝票片１０が貼着された配送物３は、配送情報表示領域１１ａ，１２ａに表示された配送情報１１ｃ，１２ｃに従って、配送物３の配送先に配送されていく。
【００３６】
図４および図５は、配送物３の配送先に配送された後の配送ラベル１の使用方法を説明するための図である。
【００３７】
上記のように伝票片１０が貼着された配送物３が配送先に配送されると、図４（ａ）に示すように、配達票１１の押印領域１１ｂに受領印１１ｄが押下され、配達票１１が伝票片１０から分離される。この際、配達票１１には１つの角部に切り欠き１５が設けられているため、切り欠き１５が設けられた角部を摘み代とすることで、配達票１１を容易に分離し始めることができる。配達票１１は、ジッパー１４を介して伝票片１０から分離可能となっているため、ジッパー１４を破断することで、伝票片１０から分離することができる。また、伝票片１０の裏面には、貼着層３０が積層されているが、貼着層３０は配達票１１を除いた全面に積層されているため、配達票１１は配送物３に貼着されておらず、図４（ｂ）に示すように、伝票片１０から分離することで、配送物３からも分離することができる。伝票片１０から分離された配達票１１は配送業者によって持ち帰られ、配送管理に用いられる。
【００３８】
配送物３の配送先においては、配送物３のパッケージ等の外装を廃棄する際、図５（ａ）に示すように、貼付票１２が伝票片１０から分離される。貼付票１２は、ジッパー１４を介して伝票片１０から分離可能となっているため、ジッパー１４を破断することで、伝票片１０から分離することができる。また、伝票片１０の裏面には、貼着層３０が積層されているが、貼付票１２の裏面には、分離部２２が貼着されていることで、貼付票１２はその外周に沿う領域のみにて配送物３に貼着されているため、図５（ｂ）に示すように、伝票片１０から分離することで、配送物３からも分離することができる。
【００３９】
図６は、配送物３から分離した貼付票１２を廃棄する際の使用方法を説明するための図である。
【００４０】
配送物３から分離した貼付票１２を廃棄する場合は、貼付票１２に貼着されたままとなっている分離部２２に表示された剥離方向指示情報２２ａに従って分離部２２を貼付票１２から剥離していく。ここで、剥離方向指示情報２２ａは、分離部２２のうち、スリット１３のＵ字状の閉じた端部側の角部に表示され、その角部から、Ｕ字状の開いた端部側に向かって分離部２２を剥離するように指示している。それにより、分離部２２を、剥離方向指示情報２２ａに従って貼付票１２から剥離していくと、分離部２２を、スリット１３のＵ字状の閉じた端部側を剥離開始端として貼付票１２から剥離していくことになる。
【００４１】
すると、図６（ａ）に示すように、スリット１３のＵ字状の外側の領域が分離部２２から剥離していく一方、Ｕ字状の内側の領域が分離部２２に貼着されたままとなって、貼付票１２がスリット１３のＵ字状の外側の領域と内側の領域とに分離していく。そして、貼付票１２の分離部分がＵ字状の開いた端部に達した後は、Ｕ字状の延長線に沿って貼付票１２が分離していく。
【００４２】
このように、貼付票１２がスリット１３のＵ字状の外側の領域と内側の領域とに分離した後は、図６（ｂ）に示すように、貼付票１２には、Ｕ字状の内側の領域が存在しない状態となっており、それにより、貼付票１２の配送情報表示領域１２ａに表示された配送情報１２ｃが認識困難なものとなり、配送情報１２ｃの漏洩を回避することができる。
【００４３】
（第２の実施の形態）
図７は、本発明の情報保護シートの第２の実施の形態を示す図であり、（ａ）は表面図、（ｂ）は（ａ）に示したＡ−Ａ’断面図、（ｃ）は裏面図である。
【００４４】
本形態は図７に示すように、図１に示したものに対して、伝票片１０の剥離台紙１２０との貼着面の全面に貼着層３０が積層されているとともに、剥離台紙１２０の伝票片１０との貼着面の全面に剥離層４０が積層され、さらに、剥離台紙１２０に、配達票１１および貼付票１２に対向する領域を取り囲むように第３の分離線となるスリット２３が形成され、その内側が分離部２４となって剥離台紙１２０から分離可能に区画形成されている点が異なる配送ラベル１０１である。
【００４５】
図７に示した配送ラベル１０１においても、図１に示したものと同様に、配達票１１側が先端となるようにプリンタにセットし、配送情報表示領域１１ａ，１２ａに配送情報を印字していくが、スリット１３が、Ｕ字状の開いた端部が配達票１１側となるような向きとなっているため、配達票１１側が先端となって配送ラベル１が搬送されていくと、Ｕ字状の開いた端部側が搬送方向先端側となることで、スリット１３が形成された部分が捲れてしまうことがなくなり、貼付票１２が不用意に剥離してしまうことが回避される。
【００４６】
図８は、図７に示した配送ラベル１０１が配送物に貼着されるまでの使用方法を説明するための図である。
【００４７】
図７に示した配送ラベル１０１を配送物に貼着する場合は、まず、伝票片１０から剥離シート１２０を剥離する。伝票片１０と剥離シート１２０とは貼着層３０および剥離層４０を介して剥離可能に貼着されているため、互いに剥離することができる。伝票片１０から剥離シート１２０を剥離すると、図８（ａ）に示すように、伝票片１０の剥離シート１２０との貼着面に積層された貼着層３０が表出する。その際、分離部２４をスリット２３を介して剥離シート１２０から分離して、伝票片１０に貼着されたままの状態とする。
【００４８】
そして、図８（ｂ）に示すように、表出した貼着層３０によって伝票片１０を配送物３に貼着する。伝票片１０が貼着された配送物３は、配送情報表示領域１１ａ，１２ａに表示された配送情報１１ｃ，１２ｃに従って、配送物３の配送先に配送されていく。
【００４９】
その後、図１に示したものと同様に、配達票１１および貼付票１２が伝票片１０から分離される。その際、配達票１１および貼付票１２の裏面には、分離部２４が剥離可能に貼着されていることで、配達票１１および貼付票１２は配送物３に貼着されておらず、配達票１１および貼付票１２を分離部２４から剥離することで、配送物３からも分離することができる。なお、貼付票１２においては、分離部２４から剥離する際、分離部２２を分離部２４から分離して貼付票１２に貼着されたままの状態とする。
【００５０】
このように、剥離シート１２０に、配達票１１および貼付票１２に対向する領域を取り囲むようにスリット２３が形成されていることにより、伝票片１０が配送物３に貼着された状態においては、剥離シート１２０のうちスリット２３の内側となる分離部２４が伝票片１０に貼着されていることで、配達票１１および貼付票１２は配送物３に貼着されていないものとなり、それにより、配達票１１および貼付票１２をジッパー１４を介して伝票片１０から切り離して配送物３から容易に分離することができる。
【００５１】
その後、図１に示したものと同様に、貼付票１２から分離部２２を剥離することで、貼付票１２には、スリット１３のＵ字状の内側の領域が存在しない状態となり、それにより、貼付票１２の配送情報表示領域１２ａに表示された配送情報１２ｃが認識困難なものとなり、配送情報１２ｃの漏洩を回避することができる。
【００５２】
（第３の実施の形態）
図９は、本発明の情報保護シートの第３の実施の形態を示す図であり、（ａ）は表面図、（ｂ）は（ａ）に示したＡ−Ａ’断面図である。図１０は、図９に示した配送ラベル２０１の貼着構造を示す図であり、（ａ）は貼付シート２０２の剥離台紙２０５との貼着面の構成を示す図、（ｂ）は剥離台紙２０５の貼付シート２０２との貼着面の構成を示す図である。なお、図１０（ａ）においては図をわかりやすくするためにスリット２１４ａの図示を省略している。
【００５３】
本形態は図９および図１０に示すように、貼付シート２０２と剥離台紙２０５とが、貼着層２０３および剥離層２０４を介して剥離可能に貼着された配送ラベル２０１である。
【００５４】
貼付シート２０２は、伝票片２１０と収納片２２０とが折り部となるミシン目２３０を介して折り畳み可能に連接して構成されている。
【００５５】
伝票片２１０は、本願発明における第１のシートとなるものである。伝票片２１０は、伝票本体部２１１と、伝票本体部２１１を取り囲む伝票補助部２１６とから構成され、伝票本体部２１１がジッパー２１４によって伝票片２１０から分離可能に区画形成されている。なお、ジッパー２１４としては、略への字の切り込みとタイとが連続してなるものが考えられる。
【００５６】
伝票本体部２１１は、配達票２１２と貼付票２１３とから構成され、これらがジッパー２１４を介して分離可能に連接している。配達票２１２及び貼付票２１３のそれぞれには、この配送ラベル２０１が貼着されて配送される配送物の配送先の住所や氏名、品名等の配送情報が印字される配送情報表示領域２１２ａ，２１３ａが設けられており、配達票２１２にはさらに、配送物の配送先にて受領印を押下するための押印領域２１２ｂが設けられている。また、配達票２１２の角部に、配達票２１２を配送ラベル２０１から分離する際の分離開始端を示す情報を表示してもよい。
【００５７】
貼付票２１３は、本願発明における情報表示部となるものである。貼付票２１３には、第２の分離線となる細長のＵ字状のスリット２１４ａが複数形成されている。この複数のスリット２１４ａは、互いに同一方向を向いて、Ｕ字状の長手方向に直交する方向に並んで形成されているが、Ｕ字状の開いた端部が配達票２１２側となるように、配達票２１２と貼付票２１３との並び方向に対して斜めを向いている。
【００５８】
収納片２２０は、納品書２２１と補助部２２２とから構成されており、伝票片２１０との連接辺に隣接する２辺に余剰部２２９がジッパー２２７を介して切り離し可能に連接している。
【００５９】
補助部２２２は、伝票片２１０と連接してミシン目２３０に沿って形成され、孔部を形成する孔形成部２２５がスリット２１５によって分離可能に区画形成されている。なお、孔形成部２２５の形状は、任意のものとすることができるが、本形態のように伝票片２１０に向かって幅広となる台形形状であることが好ましい。
【００６０】
納品書２２１は、補助部２２２のミシン目２３０とは反対側にミシン目２３１によって切り離し可能に連接し、配送ラベル２０１を用いて配送される配送物の明細情報が印字される明細情報表示領域２２１ａが設けられている。
【００６１】
剥離台紙２０５は、本願発明の第２のシートとなるものである。剥離台紙２０５には、貼付票２１３に対向する領域内に、貼付票２１３の外周に沿って第１の分離線となるスリット２５１が形成されており、それにより、スリット２５１の内側が分離部２５２となって剥離台紙２０５から分離可能に区画形成されている。
【００６２】
伝票片２１０に形成されたＵ字状のスリット２１４ａは、分離部２５２に対向する領域内に形成されている。
【００６３】
貼付シート２０２の剥離台紙２０５との貼着面には、分離部２５２に対向する領域と、伝票補助部２１６と、孔形成部２２５と、余剰部２２９とに、接着剤や粘着剤が塗布されることで貼着層２０３が積層されている。
【００６４】
剥離台紙２０５の貼付シート２０２との貼着面には、伝票補助部２１６に対向する領域と分離部２５２とに、剥離ニス等が塗布されることで剥離層２０４が積層されている。
【００６５】
以下に、上記のように構成された配送ラベル２０１の使用方法について説明する。
【００６６】
図１１〜図１５は、図９および図１０に示した配送ラベル２０１の使用方法を説明するための図である。
【００６７】
図９および図１０に示した配送ラベル２０１を用いて配送物を配送する場合は、まず、貼付シート２０２が剥離台紙２０５に貼着された状態で、配送情報表示領域２１２ａ，２１３ａのそれぞれに、この配送ラベル２０１が貼着されて配送される配送物の配送先の住所や氏名等の配送情報を印字するとともに、明細情報表示領域２２１ａに、配送ラベル２０１が貼着されて配送される配送物の明細情報を印字する。このように、配送情報表示領域２１２ａ，２１３ａ及び明細情報表示領域１２３ａのそれぞれに、配送情報および明細情報を同時に印字することにより、配送情報と明細情報とのマッチングミスが防止される。この際、上述した実施の形態にて示したものと同様に、配達票２１２側が先端となるようにプリンタにセットし、配送情報表示領域２１２ａ，２１３ａに配送情報を印字するとともに、明細情報表示領域２２１ａに明細情報を印字していくことで、貼付票２１３にスリット２１４ａが形成されているものの、スリット２１４ａのＵ字状の開いた端部側が搬送方向先端側となることにより、スリット２１４ａが形成された部分が捲れてしまうことがなくなり、貼付票２１３が不用意に剥離してしまうことが回避される。
【００６８】
その後、貼付シート２０２を剥離台紙２０５から剥離していくと、伝票片２１０においては、伝票補助部２１６が、貼着層２０３および剥離層２０４を介して剥離台紙２０５に剥離可能に貼着されていることにより、伝票片２１０を剥離台紙２０５から剥離することができる。なおこの際、分離部２５２は、スリット２５１を介して剥離台紙２０５から分離し、貼着層２０３および剥離層２０４によって貼付票２１３に貼着されたままの状態とする。
【００６９】
一方、収納片２２０においては、孔形成部２２５が、裏面に積層された貼着層２０３によって剥離台紙２０５に貼着され、孔形成部２２５以外の領域が剥離台紙２０５には貼着されておらず、また、孔形成部２２５がスリット２１５によって補助部２２２から分離可能に区画形成されていることにより、孔形成部２２５が補助部２２２から分離し、孔形成部２２５のみが剥離台紙２０５に貼着されたまま、孔形成部２２５以外の領域が剥離台紙２０５から分離する。これにより、図１１（ａ）に示すように、補助部２２２は、孔形成部２２５が区画形成されていた領域に孔部２２５ａが形成されることになる。
【００７０】
また、余剰部２２９においても、裏面に積層された貼着層２０３によって剥離台紙２０５に貼着されており、また、ジッパー２２７によって収納片２２０から切り離し可能となっているとともに、伝票片２１０との連接部分にミシン目２３０が形成されているため、余剰部２２９が収納片２２０から切り離されて剥離台紙２０５に貼着されたままの状態となる。
【００７１】
次に、収納片２２０を収納状態とするために、図１１（ｂ）に示すように、貼付シート２０２をその裏面が内側となるようにミシン目２３０にて折り畳む。すると、折り畳まれた収納片２２０は、伝票補助部２１６の裏面に積層された貼着層２０３のうち、伝票片２２０と収納片２２０との連接部分に沿う領域以外とは対向しない。また、折り畳まれた収納片２２０のうち納品書２２１が伝票本体部２１１と対向し、補助部２２２が、伝票補助部２１６の裏面に積層された貼着層２０３のうち、伝票片２１０と収納片２２０との連接部分に沿う領域に対向する。
【００７２】
このような状態となることにより、収納片２２０が収納状態とされて貼付シート２０２をミシン目２３０にて折り畳むと、図１１（ｂ）に示すように、伝票補助部２１６の裏面に積層された貼着層２０３のうち、伝票片２１０と収納片２２０との連接部分に沿う部分が孔部２２５ａを介して表出することになる。
【００７３】
上記のようにして折り畳まれた貼付シート２０２は、伝票補助部２１６のうち、伝票片２１０と収納片２２０との連接部分に沿う領域以外の部分にて貼着層２０３が表出しているとともに、伝票片２１０と収納片２２０との連接部分に沿う部分においては貼着層２０３が孔部２２５ａを介して表出しているため、図１２に示すように、これら表出した貼着層２０３によって配送物２０６に貼着することができる。これにより、貼付シート２０２は、伝票片２１０と配送物２０６との間に収納片２２０が収納された状態で、伝票片２１０がほぼ全周に渡って配送物２０６に貼着されたような状態となるため、納品書２２１に秘匿性が要求される情報が印字または記入されている場合にその情報の漏洩を回避することができる。また、配送物２０６の配送過程において、配送物２０６との間へのごみ等の侵入を防止することができるとともに、貼付シート２０２の端部が物体に引っ掛かり、貼付シート２０２が配送物２０６から剥がれてしまう等の事故を防止することができる。
【００７４】
貼付シート２０２が貼付された配送物２０６は、配送情報表示領域２１２ａ，２１３ａに印字された配送情報２１２ｃ，２１３ｃに従って配送先に配送される。
【００７５】
そして、配送先において、図１３（ａ）に示すように、配達票２１２の押印領域２１２ｂに受領印が押下された後、ジッパー２１４を破断することによって配達票２１２を伝票片２１０から分離していく。伝票片２１０の裏面には、貼着層２０３が積層されているが、配達票２１２には貼着層２０３は積層されていないため、配達票２１２は配送物２０６に貼着されておらず、図１３（ｂ）に示すように、伝票片２１０から分離することで、配送物２０６からも分離することができる。伝票片２１０から分離された配達票２１２は配送業者によって持ち帰られ、配送管理に用いられる。
【００７６】
その後、配送物２０６の配送先において、図１４（ａ）に示すようにジッパー２１４を破断していき、貼付票２１２を伝票片２１０から分離する。その際、伝票片２１０から分離される貼付票２１２には、分離部２５２が貼着されたままの状態となっている。
【００７７】
貼付票２１２を伝票片２１０から分離すると、図１４（ｂ）に示すように、納品書２２１が、伝票本体部２１１に対向する領域に収納されていることにより、伝票本体部２１１が伝票片２１０から分離した領域から納品書２２１が取り出し可能な状態となる。
【００７８】
そして、図１５に示すように、ミシン目２３１を破断することによって納品書２２１を補助部２２２から切り離すことにより、納品書２２１を取り出すことができる。
【００７９】
図１６は、配送物２０６から分離した貼付票２１３を廃棄する際の使用方法を説明するための図である。
【００８０】
配送物２０６から分離した貼付票２１３を廃棄する場合は、貼付票２１３に貼着されたままとなっている分離部２５２を貼付票２１３から剥離していく。この際、図１に示したものと同様に、分離部２５２のうち、スリット２１４ａのＵ字状の閉じた端部側の角部に表示された剥離方向指示情報に従って分離票２５２を貼付票２１３から剥離していくことで、分離部２５２を、スリット２１４ａのＵ字状の閉じた端部側を剥離開始端として貼付票２１３から剥離していくことになる。
【００８１】
すると、図１６（ａ）に示すように、スリット２１４ａのＵ字状の外側の領域が分離部２５２から剥離していく一方、Ｕ字状の内側の領域が分離部２５２に貼着されたままとなって、貼付票２１３がスリット２１４ａのＵ字状の外側の領域と内側の領域とに分離していく。そして、貼付票２１３の分離部分がＵ字状の開いた端部に達した後は、Ｕ字状の延長線に沿って貼付票２１３が分離していく。
【００８２】
このように、貼付票２１３がスリット２１４ａのＵ字状の外側の領域と内側の領域とに分離した後は、図１６（ｂ）に示すように、貼付票２１３には、Ｕ字状の内側の領域が存在しない状態となっており、それにより、貼付票２１３の配送情報表示領域２１３ａに表示された配送情報２１３ｃが認識困難なものとなり、配送情報２１３ｃの漏洩を回避することができる。
【００８３】
なお、上述した実施の形態においては、第２の分離線として、細長のＵ字状のスリット１３，２１４ａを例に挙げて説明したが、一方の端部が開いた形態のものであれば、Ｖ字状やコの字状のものであってもよい。これらを含めて、略Ｕ字状と定義する。ただし、長手方向の端部が開いた細長の形状とし、長手方向に直交する方向に複数並んだ構成とすれば、貼付票１２，２１３を細かく分離することができ、貼付票１２，２１３に表示された情報をさらに認識困難とすることができる。
【００８４】
また、上述した実施の形態においては、配送ラベル１，１０１，２０１を例に挙げ、情報表示部として貼付票１２，２１３がジッパー２１４によって伝票片１０，２１０から切り離し可能に区画形成された構成について説明したが、略Ｕ字状の第２の分離線が形成された情報表示部を有する第１のシートに、情報表示部に対向する領域内に第１の分離線によって分離部が分離可能に区画形成された第２のシートが貼着層によって剥離可能に貼着されたものであれば、情報表示部が第１のシートから切り離し可能なものに限らない。
【符号の説明】
【００８５】
１，１０１，２０１    配送ラベル
２    ローラ
３，２０６    配送物
１０，２１０    伝票片
１１，２１２    配達票
１１ａ，１２ａ，２１２ａ，２１３ａ    配送情報表示領域
１１ｂ，２１２ｂ    押印領域
１１ｃ，１２ｃ，２１２ｃ，２１３ｃ    配送情報
１１ｄ，２１２ｄ    受領印
１２，２１３    貼付票
１３，２１，２３，２１４ａ，２１５，２５１    スリット
１４，２１４    ジッパー
１５    切り欠き
２０，１２０，２０５    剥離台紙
２２，２５２    分離部
２２ａ    剥離方向指示情報
３０，２０３    貼着層
４０，２０４    剥離層
２０２    貼付シート
２１１    伝票本体部
２１６    伝票補助部
２２０    収納片
２２１    納品書
２２１ａ    明細情報表示領域
２２２    補助部
２２５    孔形成部
２２５ａ    孔部
２２９    余剰部
２３０，２３１    ミシン目
【図１】
2019012194.tif 000003
【図２】
2019012194.tif 000004
【図３】
2019012194.tif 000005
【図４】
2019012194.tif 000006
【図５】
2019012194.tif 000007
【図６】
2019012194.tif 000008
【図７】
2019012194.tif 000009
【図８】
2019012194.tif 000010
【図９】
2019012194.tif 000011
【図１０】
2019012194.tif 000012
【図１１】
2019012194.tif 000013
【図１２】
2019012194.tif 000014
【図１３】
2019012194.tif 000015
【図１４】
2019012194.tif 000016
【図１５】
2019012194.tif 000017
【図１６】
2019012194.tif 000018